(57)【要約】【課題】装飾性を有するとともに操作性がよく、弾性体の交換等の保守対応をも容易とする紐止め具を提供する。【解決手段】紐止め具１０は、殻体と、該殻体内に配置された弾性体とからなり、前記殻体７は、紐状体の一端と接続する接続環１と、紐状体を貫通させる一対の対向した貫通孔２と２ａと、宝石３を留めるための穴４と、該穴に直下する殻体７内に紐状体を挿通させる一対の対向した挿通孔５と５ａを有して前記弾性体を収納可能とした収納部６とを設けて形成、前記弾性体は、前記紐状体を挿通させる該紐状体の径より小さく、長手方向に対して交差する方向に貫通した孔部８を有した円柱形状とした弾性ゴム９にて形成、殻体７の宝石３を留める穴４から弾性ゴム９を配置した後、穴４に宝石３を石留めして穴４を閉塞し、前記紐状体を、殻体７に挿通して、該紐状体に沿って移動可能とするものである。【選択図】図３
0003118870.tif 000002
【実用新案登録請求の範囲】
【請求項１】
環状装身具の輪径が変えられる紐止め具は、殻体と、該殻体内に配置された弾性体とからなり、
前記殻体は、紐状体の一端と接続する接続部と、紐状体を貫通させる一対の対向した貫通孔と、宝石を留めるための穴と、該穴に直下する殻体内に紐状体を挿通させる一対の対向した挿通孔を有して前記弾性体を収納可能とした収納部とを設けて形成、
前記弾性体は、前記紐状体を挿通させる該紐状体の径より小さく、長手方向に対して交差する方向に貫通した孔部を有したチューブ状、円柱、角柱の何れかの形状とした弾性ゴムにて形成、
前記殻体の宝石を留める穴から前記弾性体を配置した後、該穴に宝石を石留めして当該穴を閉塞し、前記紐状体を、当該殻体に挿通して、該紐状体に沿って移動可能としたことを特徴とする紐止め具。
【請求項２】
前記殻体は、外枠部と内枠部との半殻体からなり、
前記外枠部は、紐状体の一端と接続する接続部と、紐状体を貫通させる一対の対向した貫通孔と、宝石を留めるための穴と、該穴に直下する外枠部内に紐状体を挿通させる一対の対向した挿通孔を有して前記弾性体を収納可能とした収納部とを設けて形成、
前記内枠部は、前記外枠部内に収納可能として、一対の対向した貫通孔を設けて形成したことを特徴とする請求項１記載の紐止め具。
【請求項３】
環状装身具の輪径が変えられる紐止め具は、基体と、該基体内に配置された弾性体とからなり、
前記基体は、紐状体の一端と接続する接続部と、基体体内に弾性体を収納可能とした凹部と、該凹部の長手方向に交差する方向に紐状体を貫通させる一対の対向した貫通孔とを設けて形成、
前記弾性体は、前記紐状体を挿通させる該紐状体の径より小さい長手方向に対して交差する方向に貫通した孔部を有したチューブ状、円柱、角柱の何れかの形状とした弾性ゴムにて形成、
前記基体の凹部に前記弾性体を配置した後、当該凹部に宝石を石留めして該凹部を閉塞して、前記紐状体を、当該基体に挿通し、該紐状体に沿って移動可能としたことを特徴とする紐止め具。
【請求項４】
請求項１乃至請求項３の何れかに記載の紐止め具において、弾性体を複数個用いて、積層させて該積層境目に前記紐状体を挿通させることを特徴とした紐止め具。
【請求項５】
請求項１乃至請求項４の何れかに記載された紐止め具において、接続部を設けないで
前記紐状体を、当該紐止め具に挿通して、該紐状体に沿って移動可能としたことを特徴とする紐止め具。
【請求項６】
紐止め具と、紐状体とを含む装身具であって、
前記紐止め具は、請求項１乃至請求項４の何れかに記載されたものでなり、
前記紐状体は、前記紐止め具に挿通され、一端が前記接続部に連結され、他端に抜け止め部材が連結され、前記弾性体によって弾性的に保持されていることを特徴とする装身具。
【考案の詳細な説明】
【技術分野】
【０００１】
本考案は、紐状体を、紐止め具に挿通し、該紐状体に沿って移動可能として、環状装身具の輪の大きさを変えられる紐止め具と該紐止め具を用いた装身具に関する。
【背景技術】
【０００２】
従来、紐状体に沿って移動可能として、環状装身具の輪の大きさを変えられるこの種の止め具に用いられる弾性体には、弾性ゴムからなるリング状のＯリングまたは紐状体を挿通させる長手方向に孔部を設けたチューブ状のゴム管が多く用いられ、例えば、下記の特許文献１及び２に開示されている。
【０００３】
弾性ゴムからなるリング状のＯリングを用いたものとして、外殻体と、弾性体とを含む止め具であって、前記外殻体は、孔と、中空部とを有し、前記孔は、前記外殻体の外部から前記中空部へ通じており、前記中空部は、内壁面が球面状であり、前記弾性体は、通孔部を有し、前記中空部に内蔵されており、前記弾性体は、外周が円形状であって、その外周面が前記中空部の前記球面状の内壁面に面で圧接し、前記外周面と前記球面状の内壁面との前記圧接によってのみ前記内壁面によって支持されており、前記通孔部は前記孔に通じている止め具がある（例えば、特許文献１参照。）。
【０００４】
また、チューブ状のゴム管を用いたものとして、中空体からなるケーシングに弾性体を内蔵した留め具において、ケーシングは、互いに対向する位置に一対の孔を形成してケーシングの外部から中空部へ通じており、弾性体は、前記孔に連通可能に貫通孔部を有する弾性チューブからなっており、該弾性チューブは、その外周壁とケーシングの中空部の内壁との間に環状に連続して、あるいは断続して隙間を有するように内蔵されてなる留め具がある（例えば特許文献２参照。）。
【０００５】
特許文献１は、表面に宝石等を用いての装飾を施すことができない止め具であるとともに用いられた弾性体は、通孔部を有した外周が円形状としたＯリングの形状である。
【０００６】
また、特許文献２の留め具は、表面に宝石等を用いての装飾を施すことができない留め具であるとともに用いられた弾性体のチューブが、断面円形、断面楕円形、または断面多角形の筒体からなっている。
【０００７】
【特許文献１】特許第３３６７６５１号公報
【特許文献２】特開２００２−１６５６２２号公報
【考案の開示】
【考案が解決しようとする課題】
【０００８】
前記事項を鑑み解決しようとする問題点は、宝石を嵌合させて装飾性を有しさせ、環状装身具の輪径調節可能な紐止め具とそれを用いた装身具の提供を目的とするものである。
【０００９】
また、紐状体に沿って移動の操作性がよい紐止め具とそれを用いた装身具の提供を目的とするものである。
【００１０】
また、弾性体の交換等の保守対応をも容易とする紐止め具とそれを用いた装身具の提供を目的とするものである。
【課題を解決するための手段】
【００１１】
上記課題を解決するために、請求項１に係る考案の紐止め具は、殻体と、該殻体内に配置された弾性体とからなり、
前記殻体は、紐状体の一端と接続する接続部と、紐状体を貫通させる一対の対向した貫通孔と、宝石を留めるための穴と、該穴に直下する殻体内に紐状体を挿通させる一対の対向した挿通孔を有して前記弾性体を収納可能とした収納部とを設けて形成、
前記弾性体は、前記紐状体を挿通させる該紐状体の径より小さく、長手方向に対して交差する方向に貫通した孔部を有したチューブ状、円柱、角柱の何れかの形状とした弾性ゴムにて形成、
前記殻体の宝石を留める穴から前記弾性体を配置した後、該穴に宝石を石留めして当該穴を閉塞し、前記紐状体を、当該殻体に挿通して、該紐状体に沿って移動可能とするものである。
【００１２】
また、請求項２に係る考案は、請求項１記載の紐止め具において、前記殻体は、外枠部と内枠部との半殻体からなり、前記外枠部は、紐状体の一端と接続する接続部と、紐状体を貫通させる一対の対向した貫通孔と、宝石を留めるための穴と、該穴に直下する外枠部内に紐状体を挿通させる一対の対向した挿通孔を有して前記弾性体を収納可能とした収納部とを設けて形成、前記内枠部は、前記外枠部内に収納可能として、一対の対向した貫通孔を設けて形成してなるものである。
【００１３】
また、請求項３に係る考案の紐止め具は、基体と、該基体内に配置された弾性体とからなり、前記基体は、紐状体の一端と接続する接続部と、基体体内に弾性体を収納可能とした凹部と、該凹部の長手方向に交差する方向に紐状体を貫通させる一対の対向した貫通孔とを設けて形成、前記弾性体は、前記紐状体を挿通させる該紐状体の径より小さい長手方向に対して交差する方向に貫通した孔部を有したチューブ状、円柱、角柱の何れかの形状とした弾性ゴムにて形成、前記基体の凹部に前記弾性体を配置した後、当該凹部に宝石を石留めして該凹部を閉塞して、前記紐状体を、当該基体に挿通し、該紐状体に沿って移動可能とするものである。
【００１４】
また、請求項４に係る考案の紐止め具は、請求項１乃至請求項３の何れかに記載の紐止め具において、弾性体を複数個用いて、積層させて該積層境目に前記紐状体を挿通させてなるものである。
【００１５】
また、請求項５に係る考案の紐止め具は、請求項１乃至請求項４の何れかに記載された紐止め具において、接続部を設けないで前記紐状体を、当該紐止め具に挿通して、該紐状体に沿って移動可能とするものである。
【００１６】
また、請求項６に係る考案の装身具は、紐止め具と、紐状体との構成にて、前記紐止め具は、請求項１乃至請求項４の何れかに記載されたものでなり、前記紐状体は、前記紐止め具に挿通され、一端が前記接続部に連結され、他端に抜け止め部材が連結され、前記弾性体によって弾性的に保持されてなるものである。
【考案の効果】
【００１７】
以上述べたように、殻体表面に宝石を用いて装飾を施すことを可能としたことにより、装飾性を有して紐状体に沿って移動可能とする紐止め具となった。
【００１８】
また、弾性体を長手方向に対して交差する方向に貫通した孔部を有した弾性ゴムとした発想効果により軽量化を図ることができた。
【００１９】
また、枠体を外枠部と内枠体との半殻体にて構成したことにより、デザインの自由度が広がり、さまざまな外形形状をとることができ、趣味性を持ち合わせた操作性の良い紐止め具となった。
【００２０】
また、複数個のチューブ状、円柱、角柱形状の何れかの形状とした弾性ゴムからなる弾性体を長手方向に積層させる発想効果によりコスト低減を図ることができた。
【００２１】
また、殻体の宝石を留める穴から前記弾性体を配置した後、当該穴に宝石を石留めして該穴を閉塞する発想効果より、宝石を着脱して弾性体の交換等の保守対応をも容易とすることができた。
【００２２】
また、紐状体と、本考案の紐止め具とを組み合わせにより、装飾性を有するとともに趣味性をも持ち合わせ、装着時でも、当該紐止め具の移動にて輪径の大きさを即座に変えられるとともに抜け止め部を隣接させペンダントとして、また、当該紐止め具を起点としたＹ字状の環状装身具として使用ができる。
【考案を実施するための最良の形態】
【００２３】
以下、本考案の目的である装飾性を有し、操作性がよく、弾性体の交換等の保守対応をも容易とした輪径調節可能な紐止め具及びそれを用いた装身具の実施形態は、図面を用いて詳細に説明する。
【００２４】
図１〜図３は、本考案の請求項１に係わる紐止め具１０の実施例を示し、図１は、斜視図、図２（ａ）〜（ｃ）は、平面、正面、右側面の３面図、図３は、図２ａのＡ−Ａ線拡大断面図で示したものであり、環状装身具の輪径が変えられる紐止め具１０は、殻体と、該殻体内に配置された弾性体である弾性ゴム９を配置してなり、
殻体１０は、実施に際して外形を円筒状とした殻体を用い、紐状体３３の一端と接続する接続部とした接続環１と、紐状体３３を貫通させる一対の対向した貫通孔２と２ａと、宝石３を留めるための穴４と、該穴４に直下する殻体７内に紐状体３３を挿通させる一対の対向した挿通孔５と５ａとを有し、弾性ゴム９を収納可能とした収納部６とを設けて形成した。
【００２５】
また、前記弾性体である弾性ゴム９は、実施に際して円柱形状のものを用い、該円柱の長手方向に対して交差する方向に貫通した前記紐状体３３の径より小さい孔部８を設けて形成したものを用いた。
【００２６】
そして、殻体７に設けた宝石３を留める穴４から弾性ゴム９を配置した後、穴４に宝石３を石留めして穴４を閉塞することにより、弾性ゴム９が殻体７の体内に収納された紐止め具１０を形成させることができる。
実施に際し、弾性ゴム９の形状を円柱形状としたが限定するものではなく、チューブ状、角柱の何れかの形状を用いてもよく、どの形状にするかは、紐止め具の形状、紐状体の形状を踏まえて選定すればよい。  
【００２７】
図４、図５は、請求項２に係わる紐止め具２０の実施例を示し、図４（ａ）〜（ｃ）は、平面、正面、右側面の３面図、図５は、図４ａのＡ−Ａ線拡大断面図で示したものであり、
一対の殻体と、該殻体内に弾性体である弾性ゴム１９を配置してなる紐止め具２０は、前記殻体に紐状体（図示省略）を挿通して環状装身具の輪径が変えられるものであり、
前記殻体は、外枠部１６と内枠部１８との円筒状の半殻体からなり、
外枠部１６は、紐状体の一端と接続する接続部とした接続環１１と、該紐状体を貫通させる対向した一対の貫通孔１２と１２ａと、宝石１３を留めるための穴（符号省略）と、該穴に直下する外枠部内に紐状体を挿通させる一対の対向した挿通孔１４と１４ａとを有し、弾性ゴム１９が収納可能な収納部１５とを設けて形成した。
【００２８】
また、内枠部１８は、前記外枠１６内に収納可能として、一対の対向した貫通孔１２ｂと１２ｃとを設けて形成した。
【００２９】
また、前記弾性体である弾性ゴム１９は、実施に際して円柱形状のものを用い、該円柱の長手方向に対して交差する方向に貫通した紐状体の径より小さい孔部１７を設けて形成したものを用いた。
【００３０】
そして、外枠部１６に設けた宝石１３を留める穴から弾性ゴム１９を配置した後、該穴に宝石１３を石留めして当該穴を閉塞することにより、弾性ゴム１９が収納部１５内に収納された状態となり、そして、内枠部１８を外枠１６体内に収納することにより紐止め具２０を形成させることができる。
【００３１】
本考案によれば、紐止め具２０を構成させるために、外枠部１６の体内に内枠部１８を収納可能とした半殻体とすることにより、例えば、ハート形にすることもできる紐止め具２０となった。
【００３２】
図６、図７は、請求項３に係わる紐止め具３０の実施例を示し、図６（ａ）〜（ｃ）は、平面、正面、右側面の３面図、図７は、図６ａのＡ−Ａ線拡大断面図で示したものであり、
環状装身具の輪径が変えられる紐止め具３０は、基体２４と、該基体内に弾性体である弾性ゴム２６を有してなり、
基体２４は、紐状体（図示省略）の一端と接続する接続部とした接続環２１と、基体２４の体内に弾性ゴム２６を収納可能とした凹部２２と、該凹部２２の長手方向に交差する方向に紐状体を貫通させる一対の対向した貫通孔２３と２３ａとを設けて形成した。
【００３３】
また、前記弾性体である弾性ゴム２６は、実施に際して円柱形状のものを用い、該円柱の長手方向に対して交差する方向に貫通した紐状体の径より小さい孔部２５を設けて形成したものを用いた。
【００３４】
そして、基体２４の凹部２２に弾性ゴム２６を配置した後、凹部２２に宝石２７を石留めして凹部２２を閉塞することにより、弾性ゴム２６が基体２４の体内に収納された紐止め具３０を形成させることができる。
【００３５】
図８は、請求項４に係わる紐止め具の実施例を示す拡大断面図であり、
図４、図５に示した紐止め具２０において、２個の弾性体である弾性ゴム３１と３１ａを用いて、外枠部１６に設けた宝石１３を留める穴から弾性ゴム３１ａ、３１の順で長手方向に積層させて配置した後、該穴に宝石１３を石留めして当該穴を閉塞することにより、弾性ゴム３１と３１ａが収納部１５内に収納された状態となり、そして、内枠部１８を外枠１６体内に収納することにより紐止め具２０ａを形成し、弾性ゴム３１と３１ａの積層境目に紐状体を挿通させることを要旨とするものである。
【００３６】
図９は、請求項６に係わる紐止め具１０と、紐状体３３とを用いて装身具であるネックレス３５の実施例を図示し、
紐状体３３が紐止め具１０に挿通されるとともに紐状体３３の一端３３ａが接続部である接続環１に連結され、他端３３ｂには、宝石３３ｂが石留めされた抜け止め部材３４が連結され、紐止め具１０の体内に収納された弾性体である弾性ゴムによって紐状体３３が弾性的に保持されることにより、紐状体３３に沿って移動可能として輪径が変えられるネックレスを形成させることができる。
【００３７】
また、ネックレス３５の紐止め具１０と抜け止め部材３４の間に設けた紐止め具３２は請求項５に係わるものであり、紐止め具１０を縮小して宝石３ａ有して紐状体３３の一端と接続する接続部を設けないことを要旨とし、紐状体３３が紐止め具３２を貫通して、紐状体３３に沿って移動可能としたものである
【図面の簡単な説明】
【００３８】
【図１】請求項１に係わる紐止め具の実施例を示す斜視図である。
【図２】前記紐止め具を示す平面図、正面図、右側面図である。
【図３】図２（ａ）のＡ−Ａ線拡大断面図である。
【図４】請求項２に係わる紐止め具の実施例を示す平面図、正面図、右側面図である。
【図５】図４（ａ）のＡ−Ａ線拡大断面図である。
【図６】請求項３に係わる紐止め具の実施例を示す平面図、正面図、右側面図である。
【図７】図６（ａ）のＡ−Ａ線拡大断面図である。
【図８】請求項４に係わる紐止め具の実施例を示す拡大断面図である。
【図９】請求項６に係わる装身具の実施例を示す図である。
【符号の説明】
【００３９】
１    接続環
２    貫通孔
３    宝石
４    穴
５    挿通孔
６    収納部
７    殻体
８    孔部
９    弾性ゴム
１０    紐止め具
１１    接続環
１２    貫通孔
１３    宝石  
１４    挿通孔
１５    収納部
１６    外枠部
１７    孔部
１８    内枠部
１９    弾性ゴム
２０    紐止め具
２１    接続環
２２    凹部
２３    貫通孔
２４    基体
２５    孔部
２６    弾性ゴム
２７    宝石
３０    紐止め具
３１    弾性ゴム
３２    紐止め具
３３    紐状体
３４    抜け止め部材
３５    ネックレス
【図１】
0003118870.tif 000003
【図２】
0003118870.tif 000004
【図３】
0003118870.tif 000005
【図４】
0003118870.tif 000006
【図５】
0003118870.tif 000007
【図６】
0003118870.tif 000008
【図７】
0003118870.tif 000009
【図８】
0003118870.tif 000010
【図９】
0003118870.tif 000011